(57)【要約】【課題】使い勝手に優れた万年カレンダーを提供する。【解決手段】例えば手指を後面（背面）から第３の固定パネル５の操作用窓部５１に入れ、スライドパネル３の上部を掴んで横方向へスライド往復移動させることで、曜日の文字が配列されているスライドパネル３を日付の数字が配列されている第１の固定パネル２に対して相対的に移動させることができ、日付と曜日とを対応させることができる。ダイヤルが必要となることもなく、また、スライドパネル３が第１の固定パネル２で前面（正面）から保護されているので、例えばユーザの手が不注意で万年カレンダー１の前面に触れたとしても、ユーザの意図に反して日付と曜日との対応がずれてしまうこともない。【選択図】図１
0003118283.tif 000002
【実用新案登録請求の範囲】
【請求項１】
日付を表す数字が配列されている平板形状の透明部材からなる第１の固定パネルと、
曜日を表す文字が配列されている平板形状のスライドパネルと、
スライド往復移動用窓部が形成されている平板形状の第２の固定パネルと、
操作用窓部が形成されている平板形状の第３の固定パネルとを備え、
前記スライドパネルが所定方向へスライド往復移動可能となるように前記スライド往復移動用窓部に収容され且つ前記スライドパネルの裏面の一部が前記操作用窓部から露出するように前記第１の固定パネルの裏面と前記第２の固定パネルの表面とが接合されると共に前記第２の固定パネルの裏面と前記第３の固定パネルの表面とが接合されてなることを特徴とする万年カレンダー。
【請求項２】
請求項１に記載した万年カレンダーにおいて、
前記第２の固定パネルは、絵手紙や写真などの装飾品を収容可能な装飾品収容用窓部が形成されていることを特徴とする万年カレンダー。
【考案の詳細な説明】
【技術分野】
【０００１】
本考案は、日付を表す数字が配列されているパネルと曜日を表す文字が配列されているパネルとを相対的に移動させることで日付と曜日とを対応させるように構成されている万年カレンダーに関する。
【背景技術】
【０００２】
従来より、多くの種類の万年カレンダーが提供されている（例えば特許文献１参照）。
【特許文献１】特開平１１−１４９２４５号公報
【考案の開示】
【考案が解決しようとする課題】
【０００３】
この種の万年カレンダーは、例えば「１」〜「３１」までの日付を表す数字が規則的に配列されているパネルに対して「日」〜「土」までの曜日を表す文字が規則的に配列されているパネルを相対的に移動させることで日付と曜日とを対応させる構成が一般的であり、上記した特許文献１に記載されているものでは、ダイヤルを回すことで日付と曜日とを対応させるように構成されている。また、日付を表す数字が規則的に配列されているパネル及び曜日を表す文字が規則的に配列されているパネルのうちいずれかを前面（正面）でスライド移動させることで日付と曜日とを対応させるように構成されているものもある。
【０００４】
しかしながら、ダイヤルを回すことで日付と曜日とを対応させるものでは、ダイヤルが必要となる分、部品点数が多くなるという問題があり、また、前面でスライド移動させることで日付と曜日とを対応させる構成では、例えばユーザの手が不注意で万年カレンダーの前面に触れたりすると、ユーザの意図に反して日付と曜日との対応がずれてしまう虞があり、使い勝手が悪いという問題がある。
【０００５】
本考案は、上記した事情に鑑みてなされたものであり、その目的は、部品点数が多くなることがなく、しかも、ユーザの意図に反して日付と曜日との対応がずれてしまうこともなく、使い勝手に優れた万年カレンダーを提供することにある。
【課題を解決するための手段】
【０００６】
請求項１に記載した考案は、日付を表す数字が配列されている平板形状の透明部材からなる第１の固定パネルと、曜日を表す文字が配列されている平板形状のスライドパネルと、スライド往復移動用窓部が形成されている平板形状の第２の固定パネルと、操作用窓部が形成されている平板形状の第３の固定パネルとを備え、前記スライドパネルが所定方向へスライド往復移動可能となるように前記スライド往復移動用窓部に収容され且つ前記スライドパネルの裏面が前記操作用窓部から露出するように前記第１の固定パネルの裏面と前記第２の固定パネルの表面とが接合されると共に前記第２の固定パネルの裏面と前記第３の固定パネルの表面とが接合されてなるところに特徴を有する。
また、請求項２に記載した考案は、請求項１に記載した万年カレンダーにおいて、前記第２の固定パネルは、絵手紙や写真などの装飾品を収容可能な装飾品収容用窓部が形成されているところに特徴を有する。
【考案の効果】
【０００７】
本考案によれば、例えば手指を後面（背面）から第３の固定パネルの操作用窓部に入れ、スライドパネルを掴んで所定方向へスライド往復移動させることで、曜日の文字が配列されているスライドパネルを日付の数字が配列されている第１の固定パネルに対して相対的に移動させることができ、日付と曜日とを対応させることができる。この場合、従来のものとは異なって、ダイヤルが必要となることがないので、部品点数が多くなることがなく、また、スライドパネルの全体が第１の固定パネルで前面（正面）から保護されているので、例えばユーザの手が不注意で万年カレンダーの前面に触れたとしても、スライドパネルがずれてしまうこともなく、ユーザの意図に反して日付と曜日との対応がずれてしまうこともなく、使い勝手を高めることができる。
【考案を実施するための最良の形態】
【０００８】
以下、本考案の一実施形態について、図１ないし図４を参照して説明する。図２及び図３は、万年カレンダー１を構成する各パネル２〜５の正面図を示している。万年カレンダー１は、第１の固定パネル２、スライドパネル３、第２の固定パネル４及び第３の固定パネル５が組合わされて構成されている。
【０００９】
第１の固定パネル２は、無色透明のアクリル材を材料とする平板形状に構成され、その表面の正面から見て左側部分には日付フィールド２１が形成されている。日付フィールド２１には、「１」〜「７」、「２」〜「１４」、「９」〜「２１」、「１６」〜「２８」及び「２３／３０」〜「３１」の日付を表す数字が５行にわたって規則的に配列されている。これら数字は、彫刻または印刷により形成されている。また、第１の固定パネル２は、その４箇所の隅部にビスが挿通されるためのビス挿通穴部２ａ〜２ｄが形成されている。
【００１０】
スライドパネル３は、有色（例えば赤色、青色、緑色及び黄色など）透明のアクリル材を材料とする平板形状に構成され、その表面には曜日フィールド３１が形成されている。曜日フィールド３１には、「Ｓｕｎ」、「Ｍｏｎ」、「Ｔｕｅ」、「Ｗｅｄ」、「Ｔｈｕ」、「Ｆｒｉ」及び「Ｓａｔ」の曜日を表す文字（英字）が規則的に配列されている。これらの文字も、彫刻または印刷により形成されている。尚、図２では、有色である旨を網状のハッチングで示している。
【００１１】
第２の固定パネル４は、上記した第１の固定パネル２と同様にして無色透明のアクリル材を材料とする平板形状に構成され、正面から見て左側部分にはスライド往復移動用窓部４１が形成されている。スライド往復移動用窓部４１は、その縦方向の寸法（「ａ３」参照）が上記したスライドパネル３の縦方向の寸法（「ａ２」参照）よりも僅かに長く形成されていると共に横方向の寸法（「ｂ３」参照）が上記したスライドパネル３の横方向の寸法（「ｂ２」参照）よりも十分に長く形成されており、スライドパネル３が収容された状態で長手方向（図１及び図４中矢印Ａ１，Ａ２方向）へスライド往復移動することが可能に構成されている。また、第２の固定パネル４は、上記した第１の固定パネル２と同様にして、その４箇所の隅部にビスが挿通されるためのビス挿通穴部４ａ〜４ｄが形成されている。
【００１２】
第３の固定パネル５は、上記した第１の固定パネル２及び第２の固定パネル４と同様にして無色透明のアクリル材を材料とする平板形状に構成され、正面から見て左側部分には操作用窓部５１が形成されている。操作用窓部５１は、その縦方向の寸法（「ａ４」参照）が所定長さに形成されていると共に横方向の寸法（「ｂ４」参照）が上記した第２の固定パネル４に形成されているスライド往復移動用窓部４１の横方向の寸法と略同じ長さに形成されており、人の手指を入れることが可能に構成されている。この場合、操作用窓部５１は、第２の固定パネル４に形成されているスライド往復移動用窓部４１の上部に対応する位置に形成されている。また、第３の固定パネル５は、上記した第１の固定パネル２及び第２の固定パネル４と同様にして、その４箇所の隅部にビスが挿通されるためのビス挿通穴部５ａ〜５ｄが形成されている。
【００１３】
これら第１の固定パネル２、第２の固定パネル４及び第３の固定パネル５の各々は、縦方向の寸法（「ａ１」参照）が例えば「１５０ミリメートル」、横方向の寸法（「ｂ１」参照）が例えば「２８０ミリメートル」及び厚さ方向の寸法が例えば「２ミリメートル」で形成されている。
【００１４】
そして、これら第１の固定パネル２、スライドパネル３、第２の固定パネル４及び第３の固定パネル５は、図１に示すように、スライドパネル３が第２の固定パネル４に形成されているスライド往復移動用窓部４１に収容され且つ例えば絵手紙（本発明でいう装飾品）が正面から見て右側部分で（スライドパネル３の側方で）第１の固定パネル２の裏面と第２の固定パネル４の表面との間で挟まれた状態で第１の固定パネル２の裏面と第２の固定パネル４の表面とが接合されると共に第２の固定パネル４の裏面と第３の固定パネル５の表面とが接合され、４箇所の隅部がビス６ａ〜６ｄとナット７ａ、７ｂや長ネジナット８ａ、８ｂとで固定されることにより、万年カレンダー１として完成され、卓上などに置かれて使用される。
【００１５】
この場合、図４に示すように、万年カレンダー１の後面（背面）では、スライドパネル３の一部（上部）が第３の固定パネル５に形成されている操作用窓部５１から露出することになるので、ユーザは、手指を操作用窓部５１に入れてスライドパネル３の上部を掴み、スライドパネル３を横方向へスライド往復移動させることで、スライドパネル３を第１の固定パネル２に対して相対的に移動させることができ、日付と曜日とを対応させることができる。尚、スライドパネル３が正面から見て右端にスライド移動された状態では、「１」〜「７」の日付が「Ｓｕｎ」〜「Ｓａｔ」の曜日に対応することになり、一方、スライドパネル３が正面から見て左端にスライド移動された状態では、「２」〜「８」の日付が「Ｓｕｎ」〜「Ｓａｔ」の曜日に対応することになる。
【００１６】
以上に説明したように本実施形態によれば、例えば手指を後面（背面）から操作用窓部５１に入れ、スライドパネル３の上部を掴んで横方向へスライド往復移動させることで、曜日の文字が配列されているスライドパネル３を日付の数字が配列されている第１の固定パネル２に対して相対的に移動させることができ、日付と曜日とを対応させることができる。この場合、従来のものとは異なって、ダイヤルが必要となることがないので、部品点数が多くなることがなく、また、スライドパネル３の全体が第１の固定パネル２で前面（正面）から保護されているので、例えばユーザの手が不注意で万年カレンダー１の前面に触れたとしても、スライドパネル３がずれてしまうこともなく、ユーザの意図に反して日付と曜日との対応がずれてしまうこともなく、使い勝手を高めることができる。また、各パネル２〜５が全て突起物のない平板形状に構成されているので、使用しないときは分解してコンパクトに収納したり運搬したりすることができる。
【００１７】
本考案は、上記した実施形態にのみ限定されるものではなく、以下のように変形または拡張することができる。
第２の固定パネル４や第３の固定パネル５は、無色透明のアクリル材を材料とする構成に限らず、スライドパネル３と同様にして有色透明のアクリル材を材料とする構成であっても良い。各パネル２〜５は、適度な強度を保つことができる厚さであれば良い。
【００１８】
第２の固定パネル４に代えて別の固定パネルを使用する構成であっても良い。すなわち、図５に示すように、例えば厚みのある装飾品を飾る場合であれば、スライド往復移動用窓部９１が形成されていると共に厚みのある装飾品を収容することが可能な装飾品収容用窓部９２が形成されている第２の固定パネル９を使用し、スライドパネル３がスライド往復移動可能に収容され且つ厚みのある装飾品が装飾品収容用窓部９２に収容された状態で万年カレンダーとして完成される構成であっても良い。この場合、装飾品は写真や絵手紙以外のものであっても良い。また、図６に示すように、単にスライドパネル３がスライド往復移動可能に収容された状態で万年カレンダーとして完成される構成であっても良い。
【００１９】
操作用窓部５１がスライド往復移動用窓部４１の上部に対応する位置に形成される構成に限らず、操作用窓部５１がスライド往復移動用窓部４１の下部に対応する位置に形成されることにより、スライドパネル３の下部を掴んで横方向へスライド往復移動させる構成であっても良い。
第１の固定パネル２、第２の固定パネル４及び第３の固定パネル５がビス６ａ〜６ｄとナット７ａ、７ｂや長ネジナット８ａ、８ｂとで固定される構成に限らず、第１の固定パネル２、第２の固定パネル４及び第３の固定パネル５が例えばテープなどで固定される構成であっても良い。また、スライドパネル３に形成される曜日を表す文字は、「日」、「月」、「火」、「水」、「木」、「金」及び「土」の曜日を表す文字（漢字）であっても良い。さらに、卓上型の構成に限らず、壁掛け型の構成であっても良い。
【図面の簡単な説明】
【００２０】
【図１】本考案の一実施形態を示す外観斜視図
【図２】各パネルの正面図
【図３】各パネルの正面図
【図４】スライドパネルをスライド往復移動させる態様を示す図
【図５】その他の実施形態を示す外観斜視図（その１）
【図６】その他の実施形態を示す外観斜視図（その２）
【符号の説明】
【００２１】
図面中、１は万年カレンダー、２は第１の固定パネル、３はスライドパネル、４は第２の固定パネル、５は第３の固定パネル、４１はスライド往復移動用窓部、５１は操作用窓部、９は第２の固定パネル、９１はスライド往復移動用窓部、９２は装飾品収容用窓部である。
【図１】
0003118283.tif 000003
【図２】
0003118283.tif 000004
【図３】
0003118283.tif 000005
【図４】
0003118283.tif 000006
【図５】
0003118283.tif 000007
【図６】
0003118283.tif 000008